(57)【特許請求の範囲】
【請求項１】
改札機の電源がＯＮとなった状態においてロール紙を所定のサイズに切断して情報券媒体用の券紙を発券する発券部と、
前記発券部により発券された券紙を保留するとともに必要に応じて券紙に対して対応する予約情報を印刷する印刷部と、
前記印刷部で券紙を保留したのに基づいて無線式券媒体との間での無線通信処理を受け付ける無線通信手段と、
前記無線通信手段による無線通信処理により無線式券媒体から読み取った情報に基づき、予約情報を有する情報券媒体を発行するか否か判定する判定手段と、
前記判定手段により情報券媒体を発行する必要があると判定された場合に、前記無線通信手段による無線通信処理が終了する前のタイミングであって前記無線通信手段によるデータの書込処理及びクローズ処理が完了する前に、前記印刷部での券紙の保留を解除し、券紙の搬送を開始し、第１の速度で搬送された券紙に対して前記印刷部により対応する予約情報を印刷し、加速して第２の速度で搬送し、情報券媒体を発行し、発行後に、前記発券部によりロール紙を所定のサイズに切断し次の券紙を発券し前記印刷部により次の券紙を保留させる制御手段と、
前記無線通信手段による無線通信処理の処理未了が発生した場合に、発行された情報券媒体を集札する集札手段と、
を備えたことを特徴とする改札機。
【請求項２】
さらに、前記集札手段に集札される情報券媒体に対してエラー内容を印刷する印刷手段を備えたことを特徴とする請求項１に記載の改札機。
【請求項３】
さらに、前記集札手段に集札される情報券媒体に対して穿孔処理を施す穿孔手段を備えたことを特徴とする請求項１に記載の改札機。
【請求項４】
改札機の電源がＯＮとなった状態においてロール紙を所定のサイズに切断して情報券媒体用の券紙を発券する発券部と、
前記発券部により発券された券紙を保留するとともに必要に応じて券紙に対して対応する予約情報を印刷する印刷部と、
前記印刷部で券紙を保留したのに基づいて無線式券媒体との間での無線通信処理を受け付ける無線通信手段と、
前記無線通信手段による無線通信処理により無線式券媒体から読み取った情報に基づき、予約情報を有する情報券媒体を発行するか否か判定する判定手段と、
前記判定手段により情報券媒体を発行する必要があると判定された場合に、前記無線通信手段による無線通信処理が終了する前のタイミングであって前記無線通信手段によるデータの書込処理及びクローズ処理が完了する前に、前記印刷部での券紙の保留を解除し、券紙の搬送を開始し、第１の速度で搬送された券紙に対して前記印刷部により対応する予約情報を印刷し、加速して第２の速度で搬送し、情報券媒体を発行し、発行後に、前記発券部によりロール紙を所定のサイズに切断し次の券紙を発券し前記印刷部により次の券紙を保留させる制御手段と、
前記無線通信手段による無線通信処理の処理未了が発生した場合に、発行された情報券媒体を保留する保留手段と、前記無線通信手段による再度の無線式券媒体との無線通信処理を行うように案内する案内手段と、を備えたことを特徴とする改札機。
【請求項５】
改札機の電源がＯＮとなった状態においてロール紙を所定のサイズに切断して情報券媒体用の券紙を発券し、発券された券紙を印刷部にて保留し、
前記印刷部で券紙を保留した状態で無線式券媒体との間での無線通信処理を行い、
前記無線通信処理により無線式券媒体から読み取った情報に基づき、予約情報を有する情報券媒体を発行するか否か判定し、
情報券媒体を発行する必要があると判定された場合に、前記無線通信処理が終了する前のタイミングであってデータの書込処理及びクローズ処理が完了する前に、前記印刷部での券紙の保留を解除し、券紙の搬送を開始し、第１の速度で搬送された券紙に対して前記印刷部により対応する予約情報を印刷し、加速して第２の速度で搬送し、情報券媒体を発行し、
情報券媒体を発行した後に再びロール紙を所定のサイズに切断して次の券紙を発券し前記印刷部により次の券紙を保留し、
さらに、情報券媒体の発行を開始した後、前記無線通信処理の処理未了が発生した場合に、発行された情報券媒体を集札する、
ことを特徴とする改札方法。
【請求項６】
さらに、集札される情報券媒体に対して、集札される前のタイミングでエラー内容を印刷することを特徴とする請求項５に記載の改札方法。
【請求項７】
さらに、集札される情報券媒体に対して、集札される前のタイミングで穿孔処理を施すことを特徴とする請求項５に記載の改札方法。
【発明の詳細な説明】
【技術分野】
【０００１】
この発明は、改札機及び改札方法に係り、特に、無線式券媒体の予約情報に基づいて対応する情報が印刷された情報券媒体を発行する改札機及び改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を受け取り、券媒体に記録された改札情報に基づいて有効性の判定（すなわち利用者の入場または出場を許可するか否かの改札処理）を行う。最近では、複数枚の磁気式券媒体に対応した改札機も実用化されている。この改札機は、１人の利用者から投入される複数枚の券媒体を受け取り、各券媒体に記録された改札情報に基づいて総合的に有効性の判定を行うものである。
【０００３】
また近年では、磁気式の券媒体以外にも無線式の券媒体を取り扱う改札機も実用化されている。このような改札機は、無線式の券媒体との間で無線通信を行い、券媒体の改札情報に基づいて有効性の判定を行う。無線式の券媒体としては、携帯電話などの携帯端末機器や、ＩＣチップを内蔵したＩＣカードなどが採用されている。
【０００４】
例えば、列車の座席（指定席）の予約について、最近では、所定の通信回線を利用した座席予約システムが導入されている。しかしながら、列車への乗降に伴う駅構内への入退場に際しては、発券窓口で紙切符を入手し、これを改札機に通すことが必要であったため、顧客にとっては依然として手続が煩雑であり、その改善が望まれている。このような問題は、上述した列車に限らず、航空機、船舶、高速バス等その他の交通機関、或いは劇場、遊園地等の施設の入退場管理システムについても同様に生じるものである。
【０００５】
特許文献１によれば、列車や航空機等の交通機関、劇場、遊園地等の施設を予約した顧客に対し、自己のＩＤ確認ツールと自動改札機との間の通信によって、自動改札機にて発券処理を行い、発券窓口や券売機に立ち寄ることなく当該施設の入退場ゲートを通過させる入退場管理システムが開示されている。
【０００６】
また、関連する技術として、特許文献２によれば、無線カードシステムを採用する第１の路線から磁気処理システムを採用する第２の路線に乗り継ぐための改札口に設置される自動改札装置であって、無線通信により無線カードに記憶されている乗車情報を読み取り、第２の路線への出場が認められたときに、第２の路線への乗継用の券媒体を発行する発行手段を具備する自動改札装置も提案されている。
【先行技術文献】
【特許文献】
【０００７】
【特許文献１】特開２００３−２７１９９９号公報
【特許文献２】特開２００３−２４２５３３号公報
【発明の開示】
【発明が解決しようとする課題】
【０００８】
無線式券媒体を利用可能な改札機において、無線式券媒体による判定処理を行い、さらに、改札機の機体内から新規の券媒体が発行されるような利用形態の場合、発行時の処理時間の短縮が求められている。
【０００９】
この発明は、上述した問題点に鑑みなされたものであって、その目的は、処理時間を短縮し、利用者にとっての利便性を向上することが可能な改札機及び改札方法を提供することにある。
【課題を解決するための手段】
【００１０】
本実施形態によれば、
当該改札機の電源がＯＮとなった状態においてロール紙を所定のサイズに切断して情報券媒体用の券紙を発券する発券部と、前記発券部により発券された券紙を保留するとともに必要に応じて券紙に対して対応する予約情報を印刷する印刷部と、前記印刷部で券紙を保留したのに基づいて無線式券媒体との間での無線通信処理を受け付ける無線通信手段と、前記無線通信手段による無線通信処理により無線式券媒体から読み取った情報に基づき、予約情報を有する情報券媒体を発行するか否か判定する判定手段と、前記判定手段により情報券媒体を発行する必要があると判定された場合に、前記無線通信手段による無線通信処理が終了する前のタイミングで、前記印刷部での券紙の保留を解除し繰り出された券紙に対して前記印刷部により対応する予約情報を印刷し、情報券媒体の発行を開始する制御手段と、を備えたことを特徴とする改札機が提供される。
【００１１】
本実施形態によれば、
当該改札機の電源がＯＮとなった状態においてロール紙を所定のサイズに切断して情報券媒体用の券紙を発券し、発券された券紙を印刷部にて保留し、前記印刷部で券紙を保留した状態で無線式券媒体との間での無線通信処理を行い、前記無線通信処理により無線式券媒体から読み取った情報に基づき、予約情報を有する情報券媒体を発行するか否か判定し、情報券媒体を発行する必要があると判定された場合に、前記無線通信処理が終了する前のタイミングで、前記印刷部での券紙の保留を解除し繰り出された券紙に対して前記印刷部により対応する予約情報を印刷し、情報券媒体の発行を開始し、情報券媒体を発行した後に再び券紙を発券し前記印刷部にて保留する、ことを特徴とする改札方法が提供される。
【発明の効果】
【００１２】
この発明によれば、処理時間を短縮し、利用者にとっての利便性を向上することが可能な改札機及び改札方法を提供することができる。
【図面の簡単な説明】
【００１３】
【図１】図１は、この発明の一実施の形態に係る改札システムの構成を概略的に示す図である。
【図２】図２は、この発明の一実施の形態に係る改札機の外観を概略的に示す斜視図である。
【図３】図３は、図２に示した改札機内の構成例を概略的に示す図である。
【図４】図４は、図２に示した改札機の制御系の構成を概略的に示すブロック図である。
【図５】図５は、図２に示した改札機による処理対象としての無線式券媒体の構成を概略的に示す図である。
【図６】図６は、図５に示した無線式券媒体と改札機との無線通信によるやりとりを説明するための図である。
【図７】図７は、図２に示した改札機に適用可能な改札方法を説明するためのフローチャートである。
【図８】図８は、第１集札処理を説明するためのフローチャートである。
【図９】図９は、第２集札処理を説明するためのフローチャートである。
【図１０】図１０は、情報券媒体に形成される穿孔位置と正常券に形成される穿孔位置との相違を説明するための図である。
【図１１】図１１は、情報券媒体に印刷されるエラー内容の一例を示す図である。
【発明を実施するための最良の形態】
【００１４】
以下、この発明の一実施の形態に係る改札機及び改札方法について図面を参照して説明する。
【００１５】
図１に示すように、この実施の形態に係る改札システムは、上位機器（外部機器）として機能するホストコンピュータ１０を備えている。このホストコンピュータ１０は、駅に設置された複数の改札機１００−１、１００−２…と通信回線２０を介して接続されており、これらの改札機１００を監視する。
【００１６】
ホストコンピュータ１０は、装置全体を制御するとともに下位に接続された各種機器を制御するものであって、複数の改札機１００を統括して制御するＣＰＵ１１を有している。このＣＰＵ１１には、メモリ部１２、表示部１３、入力部１４、通信制御部１５などが接続されている。
【００１７】
メモリ部１２は、ホストコンピュータ１０自体及び改札機１００などの下位の機器を制御するための制御データなどの各種データを記憶している。また、このメモリ部１２は、事前に予約・登録された予約情報に対応したデータも記憶している。この予約情報は、例えば、利用者に関する情報（名前、住所、電話番号、識別情報など）や、改札処理に必要な情報（利用区間、有効期限、利用額、利用する列車に関する情報、予約した座席に関する情報など）を含んでいる。
【００１８】
表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１９】
次に、図１に示した改札システムに適用可能な改札機１００の構成について説明する。図２に示すような改札機１００は、利用者が通行可能な改札通路に沿って配置されている。入場処理や出場処理などの処理を行う改札機１００で利用可能な券媒体としては、普通乗車券、定期券、特急券、回数券、入場券、プリペイドカードなどの機能を有する券媒体であり、無線式の券媒体及び磁気式の券媒体のいずれも対象となる。なお、無線式の券媒体とは、改札機１００側との無線通信が可能なＩＣチップを内蔵した携帯電話などの携帯端末機器、ＩＣチップを内蔵したＩＣカードなどである。
【００２０】
これら券媒体は、券媒体固有の識別情報（ＩＤ）や、券媒体の有効性を判定する処理に必要な改札情報などを有している。改札情報としては、例えば、利用可能な区間情報、有効期限情報、入場記録情報、出場記録情報、利用者情報、利用額に対応した情報などを有している。このような識別情報や改札情報などの各種情報は、無線式券媒体のメモリ部に所定形式で記憶されている。磁気式券媒体では、識別情報や改札情報などの各種情報は、その券面の磁気記録層に所定形式で磁気記録されている。
【００２１】
すなわち、図２に示すように、改札機１００は、筐体１を備えている。ここでは、無線式及び磁気式の券媒体を利用可能な改札機について説明する。
【００２２】
改札機１００の筐体１は、投入口２、排出口３、案内手段としての機能を有する表示部４、ドア機構５、フレーム６、人間検知センサ７、表示器８、案内手段としての機能を有するスピーカ８０、無線通信手段としての機能を有する無線通信処理ユニット１１０などを備えている。投入口２は、筐体１において、改札通路の進行方向（図２中の矢印Ａ）上流側に設置され、施設内への入場時または施設内からの出場時に投入された磁気式の券媒体を受け取り可能である。投入口２の近傍には、券媒体の投入を阻止するためのシャッタが設けられている。また、排出口３は、筐体１における進行方向下流側に設けられ、投入口２から受け取った券媒体を必要に応じて排出する他に、後述する予約情報を有する情報券媒体も排出する。
【００２３】
表示部４及びスピーカ８０は、利用者の進行方向Ａに対して筐体１における排出口３の前方に配置され、利用者や係員などに対して種々の情報、操作案内や有効性判定処理の結果などに対応した各種情報を出力して案内する機能を有している。表示部４は、例えば利用時の利用額やエラー内容などに対応した案内画面を所定の表示パターンで表示する。この表示部４は、例えばカラー画像を表示可能に構成されている。また、スピーカ８０は、各種情報に対応した音声を出力するように構成されている。
【００２４】
ドア機構５は、筐体１における改札通路側の側面に設置され、利用者の通行を制御するために開閉可能に構成されている。このドア機構５は、利用者の通行を可能とする場合（有効性判定；改札処理における判定ＯＫの場合）に改札通路を開放し、また、利用者の通行を阻止する場合（有効性判定；改札処理における判定ＮＧの場合）に改札通路を閉鎖する。
【００２５】
フレーム６は、筐体１の上部に設けられ、改札通路を規定するための仕切りとなる。複数の人間検知センサ７は、筐体１及びフレーム６における改札通路側の側面に設置されている。これらの人間検知センサ７は、利用者の改札通路内での移動（改札通路内の所定位置での利用者の有無）を検知するための信号を出力する。表示器８は、フレーム６に配置され、小児券、無効券、または異常券の投入や、機器の異常など装置の動作状態を報知する。
【００２６】
無線通信処理ユニット１１０は、筐体１における投入口２よりも進行方向下流側に配置されたアンテナ部１１３を備え、無線式の券媒体との間で無線通信を行う。
【００２７】
図３に示すように、改札機１００の内部において、投入口２と排出口３との間には、投入口２から投入された券媒体を矢印ａで示したように搬送方向（排出口３などが設けられた下流側に向かう方向であり、改札通路の進行方向Ａと同一方向である）に沿って搬送する搬送機構が設けられている。投入口２から排出口３までの間には、分離部３１、整列部３２、磁気処理部３０、パンチ部３６、印刷部３７、集積放出部３８などが配置されている。
【００２８】
分離部３１は、投入口２に一括して複数枚重ねて投入された磁気式の券媒体を一時的に保留するとともに、これらの券媒体を搬送方向ａに沿ってずらして１枚ずつ分離する。整列部３２は、分離部３１から送出されてきた１枚ずつの券媒体をサイズに応じて所定の姿勢に整列して後段の磁気処理部３０に向けて送出する。
【００２９】
磁気処理部３０は、搬送方向ａに沿って順に配置された読取部３３、書込部３４、及び、ベリファイ部３５を備えている。読取部３３は、券媒体の磁気記録層に記録されているエンコード磁気情報を読み取る。書込部３４は、券媒体の磁気記録層に対してエンコード磁気情報、例えば入場記録情報や出場記録情報などを記録する。ベリファイ部３５は、書込部３４で記録されたエンコード磁気情報を読み取る。
【００３０】
パンチ部３６は、券媒体に対して必要に応じて穿孔処理を施す（つまり、パンチ孔を形成する）穿孔手段としての機能を有している。このパンチ部３６においては、穿孔処理の際に券媒体の搬送を一時的に停止させる必要がある。このため、パンチ部３６は、ストッパＳ４を備えており、券媒体を一時的に保留可能な構成となっている。このように、パンチ部３６は、保留手段としての機能も有している。
【００３１】
印刷部３７は、券媒体に対して必要に応じてその表面に日付や改札場所名等の所定の情報を印刷する。また、この印刷部３７は、券媒体に対してエラー内容を印刷する印刷手段としての機能も有している。集積放出部３８は、一括投入された複数の券媒体、さらには後述する情報券媒体をサイズに応じて重ねて合わせて集積し、排出口３から一括して機体外に放出する。
【００３２】
読取部３３と書込部３４との間には、反転部３９が配置されている。この反転部３９は、読取部３３を通過した券媒体がその裏面を上に向けた状態の場合、券媒体を取り込み、券媒体の表裏を反転する。ベリファイ部３５の下流側と書込部３４の上流側とを結合する循環経路上に保留部４０が配置されている。この保留部４０は、投入された券媒体を一時的に保留する。
【００３３】
印刷部３７と集積放出部３８との間には、集札部４３及び別集札部４４が配置されている。集札部４３には、改札処理により集札すべきと判定された券媒体（正常券のうち、利用者に返却する必要のない券媒体）などが回収される。この集札部４３は、後述する情報券媒体を必要に応じて集札する集札手段としての機能も有している。別集札部４４には、排出口３から放出された後に所定時間放置された券媒体（取り忘れ券媒体）などが回収される。また、集札部４３及び別集札部４４とは別に、図３に示した例のように、後述する情報券媒体を専用に集札する専用集札部４５を設けても良い。このような専用集札部４５を設けた場合、専用集札部４５が集札手段として機能する。
【００３４】
読取部３３と書込部３４との間には、発行ユニット５０が配置されている。この発行ユニット５０は、無線式券媒体から読み取った予約情報を有する情報券媒体を発行する発行手段としての機能を有しており、ロール紙を所定のサイズに切断して情報券媒体用の券紙を発券する発券部５１と、発券部５１により発券された券紙を発行指示が出るまで保留するとともに発行指示が出た後に券紙に対して予約情報に基づいて所定情報を印刷する印刷部５２と、を備えて構成されている。なお、発券部５１は、所定のサイズに予めカットされた券紙を繰り出して発券する構成であっても良い。また、発行ユニット５０を構成する印刷部としては、印刷部３７を適用しても良い。
【００３５】
図４に示すように、改札機は、装置全体の制御を司るＣＰＵ６０を備えている。このＣＰＵ６０は、券媒体が有する情報に基づいて種々の判定処理を行う判定手段としての機能を有している。例えば、ＣＰＵ６０は、券媒体が有する情報に基づいて券媒体の有効性を判定する有効性判定処理、つまり、利用者の改札通路の通過を許可するか否かの改札処理を行う機能に加えて、無線通信処理ユニット１１０により無線式券媒体から読み取った情報に基づいて、情報券媒体を発行する必要があるか否かを判定する機能を兼ね備えている。
【００３６】
このＣＰＵ６０には、メモリ部６１、表示制御回路６２、ドア制御回路６３、通過検知回路６４、表示器制御回路６５、音声出力制御回路６６などが接続されている。
【００３７】
メモリ部６１は、ＲＯＭ（read only memory）、ＲＡＭ（random access memory）、運賃メモリなどを含んでいる。ＲＯＭは、ＣＰＵ６０の制御プログラムなどを記憶している。ＲＡＭは、制御プログラムのバッファとして情報を記憶するとともに、券媒体から読み取った情報などの各種情報を記憶する。運賃メモリは、入場駅から設置駅までの利用額に対応した運賃情報を記憶している。
【００３８】
表示制御回路６２は、操作案内や有効性判定処理の結果などに対応した画像を表示するように表示部４を制御する。ドア制御回路６３は、有効性判定処理の結果に対応して改札通路を開閉するようにドア機構５の駆動を制御する。通過検知回路６４は、人間検知センサ７からの出力信号に基づいて利用者の通過（移動位置）を検知する。表示器制御回路６５は、改札機の動作状態などに応じたパターンで点灯するように表示器８を制御する。音声出力制御回路６６は、操作案内や有効性判定処理の結果などに対応した音声を出力するようにスピーカ８０を駆動する。
【００３９】
また、ＣＰＵ６０には、磁気処理ユニット制御部６７、無線通信処理ユニット制御部６８、発行ユニット制御部６９、通信制御部７０などが接続されている。
【００４０】
磁気処理ユニット制御部６７は、ＣＰＵ６０の制御に基づいて、磁気式の券媒体に対して所定の処理を施すように、図３に示したような磁気処理ユニットの各機構を制御する機能を有している。すなわち、磁気処理ユニット制御部６７は、読取部３３を制御する読取回路、書込部３４を制御する書込回路と、ベリファイ部３５を制御する読取回路、パンチ部３６を制御するパンチ制御回路、印刷部３７を構成するサーマルヘッドを制御する印刷制御回路、反転部３９を駆動する反転部駆動回路、搬送機構において搬送経路中に配置された複数の振り分けゲートを制御する振り分け制御回路、搬送機構において搬送経路中に配置されて券媒体を一時的に保留するための複数のストッパ（例えばＳ１、Ｓ２、Ｓ３、Ｓ４、Ｓ５）を制御するストッパ制御回路、搬送経路中に配置された複数のセンサからの出力信号を基に券媒体の搬送状況を検知する検知回路、搬送経路に沿って券媒体を搬送する複数のモータを制御する搬送制御回路などの機能を含んでいる。
【００４１】
無線通信処理ユニット制御部６８は、ＣＰＵ６０の制御に基づいて、無線式の券媒体に対して所定の処理を施す機能を有している。無線通信処理ユニット１１０は、図５及び図６を参照して後述するように、無線通信処理ユニット制御部６８による制御により、無線通信可能な通信エリアに翳された無線式の券媒体との間で無線通信を行い、無線式の券媒体から有効性判定処理に必要な情報を読み取る機能を有するとともに、有効性判定処理の結果に対応した情報を無線式の券媒体に書き込む、あるいは、券媒体から情報を消去する機能を有している。
【００４２】
発行ユニット制御部６９は、ＣＰＵ６０の制御に基づき、発行ユニット５０を制御して情報券媒体を発行する機能を有している。すなわち、この発行ユニット制御部６９は、発券部５１においてロール紙を発券する券媒体のサイズに合わせて切断するためのカッターを駆動するカッター制御回路、印刷部５２を構成するサーマルヘッドを制御する印刷制御回路などの機能を含んでいる。
【００４３】
通信制御部７０は、ＣＰＵ６０の制御に基づき、改札機１００より上位の機器、例えばホストコンピュータ１０との間で情報通信を行う。また、この通信制御部７０は、無線通信処理ユニット１１０を介して無線式券媒体から読み取った情報に基づいて、情報券媒体を発行するのに必要な予約情報の詳細を上位の機器、例えばホストコンピュータ１０から取得可能に構成されている。
【００４４】
次に、無線式の券媒体の構成例について説明する。  
図５に示すように、無線式の券媒体Ｃは、無線通信処理ユニット１１０との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３や、アンテナ２０４を介して無線通信処理ユニット１１０から送信されたデータを受信したり、無線通信処理ユニット１１０に対してデータを送信したりする通信制御部２０５などが接続されている。
【００４５】
図６に示すように、無線通信処理ユニット１１０は、アンテナ部１１３を介して、無線式の券媒体Ｃに対して一定時間の間隔でポーリングコマンド信号を発信している。利用者が券媒体Ｃをアンテナ部１１３にかざすと、無線通信によるデータのやり取りが開始される。つまり、このポーリングコマンド信号に対して、券媒体Ｃから返信信号が無線通信処理ユニット１１０に向けて送信される（ポーリングレスポンス）。
【００４６】
そして、無線通信処理ユニット１１０から券媒体Ｃに対して各種情報を含むデータの送信を要求する（リードコマンド）。券媒体Ｃの通信制御部２０５は、アンテナ２０４を介して無線通信処理ユニット１１０からのデータ送信要求を受信したのに基づいて、ＣＰＵ２０１の制御に基づきメモリ部２０３に記憶していた各種情報を含むデータをアンテナ２０４を介して無線通信処理ユニット１１０に向けて送信する（リードレスポンス）。
【００４７】
無線通信処理ユニット１１０が無線式券媒体Ｃからデータを受信したのに基づき、改札機におけるＣＰＵ６０は、受信したデータ（通信結果）に基づいて有効性判定や情報券媒体の発行可否判定などの判定処理を行う（判定）。
【００４８】
そして、無線通信処理ユニット１１０は、必要なデータの書込処理を行う。すなわち、無線通信処理ユニット１１０は、ＣＰＵ６０における判定処理の結果に相当する判定結果情報を含むデータを券媒体Ｃに送信する（判定結果送信、ライトコマンド）。その後、券媒体Ｃの通信制御部２０５は、アンテナ２０４を介して無線通信処理ユニット１１０から送信されたライトコマンドを受信したのに基づいて、ＣＰＵ２０１の制御に基づきメモリ部２０３に受信したデータを記憶する。そして、通信制御部２０５は、アンテナ２０４を介して無線通信処理ユニット１１０に向けてデータが正常に書き込まれ一連の処理が完了したことを通知する（ライトレスポンス）。
【００４９】
その後、無線通信処理ユニット１１０は、クローズ処理を行う。すなわち、無線通信処理ユニット１１０は、券媒体Ｃからライトレスポンスを受信したのに基づいて、券媒体Ｃに対して処理を終了するためのクローズコマンドを送信する。券媒体Ｃは、無線通信処理ユニット１１０からのクローズコマンドを受信したのに基づいて、無線通信処理ユニット１１０に対してクローズレスポンスを送信する。無線通信処理ユニット１１０は、券媒体Ｃからクローズレスポンスを受信したのに基づいて、改札機におけるＣＰＵ６０に対して一連の無線通信処理が正常に終了した旨を通知する。
【００５０】
このようなデータのやり取りにより、券媒体Ｃと改札機１００における無線通信処理ユニット１１０との間で有効性判定処理に必要な改札情報の無線通信が行われる。
【００５１】
次に、上述した上述した改札機に適用可能な改札方法について説明する。
【００５２】
ここでは、例えば、無線式券媒体（ＩＤ確認ツール）の処理を実施し、その際に、情報券媒体を発行する必要があった場合について説明する。情報券媒体を発行する必要がある場合とは、例えば、無線式券媒体から読み取った情報例えば識別情報などのＩＤに関連付けられた予約情報が事前に登録されている場合である。このような予約情報の登録は、例えば、通信回線等を介して利用者が所持している無線式券媒体の識別情報等の所定情報を事前に登録し、施設への入場・施設内や列車の座席を予約することによってなされる。
【００５３】
すなわち、図７に示すように、改札機において、電源ＯＮし立ち上がると同時に、ＣＰＵ６０は、待機状態において、発行ユニット制御部６９による制御に基づいて発行ユニット５０の発券部５１から情報券媒体用の券紙を発券する（ＳＴ１１）。すなわち、発行ユニット５０では、発券部５１のロール紙を所定の大きさにカットして繰り出し、印刷部５２に一時的に保留する。この状態が改札機の使用可能状態であり、この状態になった後、無線式及び磁気式の券媒体の受付が許可される。
【００５４】
そして、ＣＰＵ６０は、無線通信処理ユニット制御部６８による制御に基づいて無線通信処理ユニット１１０のアンテナ部１１３からポーリングコマンド信号を発信させ、無線式券媒体との間での無線通信を受け付ける（ＳＴ１２）。つまり、無線通信処理ユニット１１０は、無線式券媒体のアンテナ部１１３への翳し待ちの状態となる。
【００５５】
そして、ＣＰＵ６０は、アンテナ部１１３を介して無線通信処理ユニット１１０と無線式券媒体との間での無線通信が開始された場合（つまり、アンテナ部１１３に無線式券媒体が翳され、無線式券媒体からのポーリングレスポンスを受信した場合）には（ＳＴ１２、ＹＥＳ）、図６を参照して説明したような一連の無線通信処理を行う。
【００５６】
無線通信処理において、まず、ＣＰＵ６０は、無線通信処理ユニット１１０により無線式券媒体から必要な各種情報を読み取る読取処理を行う（ＳＴ１３）。ＣＰＵ６０は、無線式券媒体から読み取った情報をメモリ部６１に記憶する。そして、ＣＰＵ６０は、無線式券媒体から読み取った情報に基づいて、判定処理を行う（ＳＴ１４）。この実施の形態では、ＣＰＵ６０は、情報券媒体の発行の必要性及び券媒体の有効性についてそれぞれ判定する。
【００５７】
ＣＰＵ６０は、第１に、無線式券媒体から読み取った情報に基づき、券媒体の有効性を判定する（第１判定処理）（ＳＴ１５）。すなわち、ＣＰＵ６０は、当駅が有効区間内であるか否か、処理当日が有効期限内であるか否かなどに基づき、券媒体の有効性を判定する。
【００５８】
ＣＰＵ６０は、有効性判定処理の結果、判定ＮＧと判定した場合には（ＳＴ１５、ＮＯ）、ＮＧ処理を行う（ＳＴ１６）。すなわち、ＣＰＵ６０は、ドア制御回路６３による制御に基づいてドア機構５を駆動して改札通路を閉鎖する。また、ＣＰＵ６０は、表示制御回路６２による制御に基づいて表示部４に有効性判定処理の結果に対応した案内画面を表示させる。また、ＣＰＵ６０は、音声出力制御回路６６による制御に基づいてスピーカ８０から有効性判定処理の結果に対応した音声を出力させる。
【００５９】
ＣＰＵ６０は、有効性判定処理の結果、判定ＯＫと判定した場合には（ＳＴ１５、ＹＥＳ）、このような有効性の判定に続いて、第２に、無線式券媒体から読み取った情報に基づき、予約情報を有する情報券媒体を発行する必要があるか否かを判定する（第２判定処理）（ＳＴ１７）。例えば、ＣＰＵ６０は、無線式券媒体から読み取った識別情報に基づいて該当する識別情報に関連付けられた予約情報を検索し、該当する予約情報が検索されたか否かによって情報券媒体の発行の必要性を判定する。
【００６０】
ＣＰＵ６０は、情報券媒体を発行する必要があると判定した場合には（ＳＴ１７、ＹＥＳ）、発行ユニット制御部６９による制御に基づいて印刷部５２での券紙の保留を解除し（ＳＴ１８）、印刷部５２により繰り出された券紙に対して、取得した予約情報に基づいた所定情報、例えば座席番号や列車番号などの情報、乗車区間、乗車口、利用日時、料金、有効期間などの各種情報を印刷部５２において印刷し（ＳＴ１９）、情報券媒体として発行する。
【００６１】
その後、ＣＰＵ６０は、磁気処理ユニット制御部６７による制御に基づいて発行ユニット５０から発行された情報券媒体を後段処理部に向けて搬送する。このとき、ＣＰＵ６０は、パンチ部３６にて情報券媒体を保留するように、ストッパＳ４により搬送経路を塞ぐような制御を行う（ＳＴ２０）。すなわち、情報券媒体は、反転部３９を通り、主搬送路上を搬送され、書込部３４及びベリファイ部３５を経由してパンチ部３６のストッパＳ４にて搬送停止される。つまり、無線式券媒体と無線通信処理ユニット１１０との間での無線通信において、無線式券媒体へのデータの書込処理、及び、クローズ処理が完了する前に情報券媒体の発行を開始する（より具体的には印刷を開始する）ため、見切り発車での発行となっている。
【００６２】
なお、このステップＳＴ１９における印刷工程においては、券紙への予約情報に基づいた所定情報の印刷は、印刷部３７で行っても良い。また、印刷部５２を通過した情報券媒体に対しては、書込部３４を介して必要な情報を書き込んでもよいし、この場合には、ベリファイ部３５を介して正常に情報が書き込まれたか否かを確認するようにしても良い。
【００６３】
また、ステップＳＴ２０における情報券媒体の一時保留工程においては、パンチ部３６に限らず、さらに後段の集積放出部３８において行っても良い。すなわち、主搬送路上に繰り出された情報券媒体は、集積放出部３８のストッパＳ５にて搬送停止されても良い。この場合、より排出口３に近い位置で一時保留されるため、保留解除後に排出口３から排出されるまでの時間が短縮される。
【００６４】
そして、ＣＰＵ６０は、情報券媒体の発行の必要性の有無に関わらず、有効性判定処理の結果、判定ＯＫと判定した券媒体に対して、判定ＯＫのＯＫ処理を行う。すなわち、ＣＰＵ６０は、無線通信処理ユニット１１０による無線通信において、無線式券媒体に対して必要なデータの書込処理を行い（ＳＴ２１）、さらに、クローズ処理を行う（ＳＴ２２）。
【００６５】
そして、ＣＰＵ６０は、一連の無線通信処理において処理未了が発生したか否かを判断する（ＳＴ２３）。すなわち、ＣＰＵ６０は、アンテナ部１１３にかざされた無線式券媒体と無線通信処理ユニット１１０との間での無線通信処理において、クローズ処理が完了する以前に無線式券媒体がアンテナ部１１３から離れた場合（より厳密には無線式券媒体が無線通信処理ユニット１１０の通信エリアから外れた場合）には処理未了が発生したと判断する。
【００６６】
ＣＰＵ６０は、処理未了が発生しなかったと判断した場合には（ＳＴ２３、ＮＯ）、磁気処理ユニット制御部６７による制御に基づきパンチ部３６にて保留されていた情報券媒体の保留を解除する（ＳＴ２４）。保留を解除された情報券媒体は、さらに後段処理部に向けて搬送される。そして、ＣＰＵ６０は、情報券媒体を印刷部３７及び集積放出部３８に向けて搬送した後に、排出口３から放出する（ＳＴ２５）。また、ＣＰＵ６０は、ドア制御回路６３による制御に基づいてドア機構５を駆動して改札通路を開放する。また、ＣＰＵ６０は、表示制御回路６２による制御に基づいて表示部４に有効性判定処理の結果に対応した案内画面を表示させる。また、ＣＰＵ６０は、音声出力制御回路６６による制御に基づいてスピーカ８０から有効性判定処理の結果に対応した音声を出力させる。
【００６７】
そして、ＣＰＵ６０は、図示しないセンサからの出力信号に基づいて排出口３から放出した情報券媒体が抜き取られたことを検知し（ＳＴ２６）、しかも、人間検知センサ７からの出力信号に基づいて利用者が改札通路を通過したことを検知した場合（ＳＴ２７）には、一連の改札方法の処理を終了し、次の利用者の改札処理を受け付ける。なお、情報券媒体の発行動作を実施すると、印刷部５２に保留していた券紙が無くなってしまうため、発券部５１のロール紙を所定の大きさにカットして印刷部５２に一時保留し、当初の状態、つまり、装置の使用可能状態に戻す。この状態になった後、再び、無線式及び磁気式の券媒体の受付が許可される。
【００６８】
一方、ＣＰＵ６０は、ステップＳＴ２３において、処理未了が発生したと判断した場合には（ＳＴ２３、ＹＥＳ）、パンチ部３６にて保留されていた情報券媒体の集札処理を行う（ＳＴ２８）。
【００６９】
上述したように、この実施の形態によれば、無線式券媒体をＩＤ確認ツールとして利用し、予約情報の登録を行った場合、この予約情報を可視化することができないが、この無線式券媒体を利用して改札機での処理を行った際に、予約情報を有する情報券媒体を発行することにより、従来のように予約した券媒体の発行要求のために券売機や施設窓口に出向く必要がない。また、予約情報を可視化することができるため、利用者にとっての利便性を向上することが可能となる。さらに、利用者が必要な情報のみを印刷して情報券媒体として発行することにより、省資源化が可能となる。
【００７０】
また、この実施の形態によれば、無線式券媒体との間での無線通信処理により情報券媒体の発行の必要性があると判定された場合には、無線通信処理が終了する前のタイミングで情報券媒体の発行を開始する。このため、情報券媒体の発行が必要な改札処理において、処理時間を短縮することが可能となる。
【００７１】
また、発行ユニット５０は、印刷部５２を備えている。このため、発券部５１から繰り出された券紙に対して直後に配置された印刷部５２にて印刷処理を行い、情報券媒体を発行している。磁気処理ユニット６７は、印刷部３７を備えているが、情報券媒体の発行に際して、この印刷部３７において券紙に印刷処理を施そうとすると、高速で搬送してきた券紙を印刷部３７での印刷のために一旦減速し、印刷終了後に再度加速するといった搬送制御が必要となる。一方、発行ユニット５０が印刷部５２を装備することにより、発行動作開始時、印刷時の低速で搬送を開始し、印刷終了後に加速し、その後、高速で搬送するため、搬送速度の加減速が１工程削減される。このため、処理時間の短縮が可能となる。
【００７２】
また、情報券媒体の発行処理に要する時間が短縮できるため、改札通路内での利用者の滞留が抑制され、改札効率を向上することが可能となる。
【００７３】
なお、ステップＳＴ２０におけるパンチ部３６や集積放出部３８での情報券媒体の一時的な保留は、必須ではなく、券媒体の有効性判定処理により判定ＯＫと判定され、且つ、情報券媒体がパンチ部３６や集積放出部３８に到達する以前に無線通信処理が正常に終了した場合（つまり処理未了が発生しなかった場合）には、情報券媒体はパンチ部３６や集積放出部３８にて保留されることなく、ノンストップで排出口３から排出される。このような制御により、情報券媒体を発行する際の処理時間をより短縮することが可能となる。
【００７４】
よって、利用者の利便性を向上することが可能となる。
【００７５】
また、無線通信処理が終了する前のタイミングで情報券媒体の発行を開始するため、無線通信処理の処理未了が発生した場合の情報券媒体の取り扱いが問題となるが、この場合には、発行された情報券媒体は集札処理される。このため、正常な無線通信処理が終了していない利用者に対して情報券媒体が発行されることはない。
【００７６】
次に、情報券媒体の集札処理についてより詳細に説明する。
【００７７】
まず、第１集札処理について図８を参照しながら説明する。
【００７８】
すなわち、ＣＰＵ６０は、ステップＳＴ２３において、処理未了が発生したと判断した場合には（ＳＴ２３、ＹＥＳ）、パンチ部３６にて保留されていた情報券媒体の保留を解除する（ＳＴ３１）。保留を解除された情報券媒体は、さらに後段処理部に向けて搬送される。そして、ＣＰＵ６０は、磁気処理ユニット制御部６７による制御に基づいて、情報券媒体を印刷部３７及び集積放出部３８に向けて搬送した後に、集札部４３に集札する（ＳＴ３２）。また、図３に示した構成例のように、専用集札部４５を設けた場合には、ＣＰＵ６０は、情報券媒体を専用集札部４５に集札する。
【００７９】
一方で、ＣＰＵ６０は、ドア制御回路６３による制御に基づいてドア機構５を駆動して改札通路を閉鎖する。また、ＣＰＵ６０は、表示制御回路６２による制御に基づいて表示部４に有効性判定処理の結果に対応した案内画面を表示させる。また、ＣＰＵ６０は、音声出力制御回路６６による制御に基づいてスピーカ８０から有効性判定処理の結果に対応した音声を出力させる。
【００８０】
このような第１集札処理によれば、処理未了が発生した場合に確実に情報券媒体を集札することが可能である。
【００８１】
第２集札処理について図９を参照しながら説明する。
【００８２】
すなわち、ＣＰＵ６０は、ステップＳＴ２３において、処理未了が発生したと判断した場合には（ＳＴ２３、ＹＥＳ）、処理異常とせず、再度同一の無線式券媒体との無線通信処理を行うように利用者に対して案内する（ＳＴ４１）。すなわち、ＣＰＵ６０は、表示制御回路６２による制御に基づいて表示部４に無線式券媒体を再度アンテナ部１１３にかざす旨の案内画面を表示させる。また、ＣＰＵ６０は、音声出力制御回路６６による制御に基づいてスピーカ８０から無線式券媒体を再度アンテナ部１１３にかざす旨の音声を出力させる。
【００８３】
そして、ＣＰＵ６０は、無線通信処理ユニット制御部６８による制御に基づいて無線通信処理ユニット１１０のアンテナ部１１３からポーリングコマンド信号を発信させ、無線式券媒体との間での無線通信を受け付ける（ＳＴ４２）。そして、ＣＰＵ６０は、アンテナ部１１３を介して無線通信処理ユニット１１０と無線式券媒体との間での無線通信が開始された場合には（ＳＴ４２、ＹＥＳ）、図６を参照して説明したような一連の無線通信処理を行う。
【００８４】
そして、ＣＰＵ６０は、無線通信処理により券媒体から読み取った情報に基づき、先にステップＳＴ２３において処理未了と判断された無線式券媒体との同一性を判断する（ＳＴ４３）。すなわち、ＣＰＵ６０は、ステップＳＴ４２で無線式券媒体から読み取った情報に含まれる券媒体の識別情報と、先にメモリ部６１に記憶した情報券媒体の情報に含まれる識別情報とを照合し、同一性を判断する。
【００８５】
ＣＰＵ６０は、同一であると判断した場合には（ＳＴ４３、ＹＥＳ）、図７に示したステップＳＴ２１に戻り、無線通信処理を再開して書き込み処理及びクローズ処理を行う。一方、ＣＰＵ６０は、無線通信が行われることなく（ＳＴ４２、ＮＯ）、所定時間が経過した場合（ＳＴ４４、ＹＥＳ）、あるいは、同一ではないと判断した場合には（ＳＴ４３、ＮＯ）、パンチ部３６にて保留されていた情報券媒体の保留を解除する（ＳＴ４５）。そして、ＣＰＵ６０は、磁気処理ユニット制御部６７による制御に基づいて、情報券媒体を印刷部３７及び集積放出部３８に向けて搬送した後に、集札部４３または専用集札部４５に集札する（ＳＴ４６）。
【００８６】
一方で、ＣＰＵ６０は、ドア制御回路６３による制御に基づいてドア機構５を駆動して改札通路を閉鎖する。また、ＣＰＵ６０は、表示制御回路６２による制御に基づいて表示部４に有効性判定処理の結果に対応した案内画面を表示させる。また、ＣＰＵ６０は、音声出力制御回路６６による制御に基づいてスピーカ８０から有効性判定処理の結果に対応した音声を出力させる。
【００８７】
このような第２集札処理によれば、処理未了が発生した場合に、直ちに情報券媒体を集札するのではなく、再度無線式券媒体との無線通信処理を行う機会を与え、同一性を判定することにより、処理未了となった無線通信処理を再開可能とする。このため、集札される情報券媒体を低減し、省資源化が可能となる。
【００８８】
上述した第１集札処理及び第２集札処理において、特に、集札部４３に情報券媒体を集札する場合、通常の改札処理で集札された正常券との区別を容易にするための処理を追加しても良い。
【００８９】
すなわち、パンチ部３６にて一時的に保留されていた情報券媒体を集札する際、パンチ部３６にて情報券媒体に穿孔を形成する穿孔処理を行っても良い。例えば、図１０に示すように、正常券に形成される穿孔の位置と、情報券媒体を集札する際に形成される穿孔の位置とを変えることにより、両者を容易に区別することが可能となる。
【００９０】
また、パンチ部での情報券媒体の保留を解除した後に、印刷部３７にてエラー内容を印刷する印刷処理を行っても良い。例えば、図１１に示すように、情報券媒体の表面に「処理未了」などのエラー内容を印刷することにより、正常券と情報券媒体とを容易に区別することが可能となる。当然のことながら、穿孔処理と印刷処理とを組み合わせて行っても良い。また、専用集札部４５に集札される情報券媒体についても、穿孔処理及び印刷処理の少なくとも一方を行っても良い。
【００９１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９２】
６０…ＣＰＵ  ６７…磁気処理ユニット制御部  ６８…無線通信処理ユニット制御部  ６９…発行ユニット制御部
１００…改札機  １１０…無線通信処理ユニット  １１３…アンテナ部
【図１】
0005646690.tif 000002
【図２】
0005646690.tif 000003
【図３】
0005646690.tif 000004
【図４】
0005646690.tif 000005
【図５】
0005646690.tif 000006
【図６】
0005646690.tif 000007
【図７】
0005646690.tif 000008
【図８】
0005646690.tif 000009
【図９】
0005646690.tif 000010
【図１０】
0005646690.tif 000011
【図１１】
0005646690.tif 000012